(57)【要約】【課題】映像切替器、映像拡大器、マルチスクリーン等の制御対象機器と制御用計算機との設置場所に関する制約を軽減し、しかも１台の制御用計算機に故障が発生しても制御不能に陥りにくいマルチスクリーン表示システムを得る。【解決手段】描画要求クライアント１６および描画表示サーバ１７間を描画要求用ＬＡＮケーブル１９により接続し、さらに、映像機器制御用計算機１０とマルチスクリーン１３、映像切替器１５、映像拡大器１４との間も映像機器制御用ＬＡＮケーブル１２により接続し、映像機器制御用計算機１０は、制御対象機器１３、１４および１５を選択するときに制御データを送信し、制御対象機器の状態情報を取得するときは状態情報取得データを受信する。【選択図】図１
2008198084.tif 000002
【特許請求の範囲】
【請求項１】
描画アプリケーションを実行して表示すべき映像信号を送る描画要求クライアントと、
描画要求用ネットワークを介して前記描画要求クライアントに接続されるとともに、当該描画要求クライアントからの描画要求に基づいて複数の映像信号を出力し、仮想的な大画面を構成することが可能な描画表示サーバと、
前記描画表示サーバから出力される複数の映像信号を入力し、当該複数の映像信号の中から、指定された映像信号を出力する映像切替器と、
前記映像切替器から出力される映像信号を入力し、当該複数の映像信号の中から、指定された映像入力を拡大処理する映像拡大器と、
複数の画面を備え、前記映像切替器または前記映像拡大器から出力される映像信号を入力して表示するマルチスクリーンと、
制御対象機器である前記映像切替器、前記映像拡大器および前記マルチスクリーンに映像機器用ネットワークを介して接続されるとともに、当該映像機器用ネットワークを通して制御データを送信して前記映像切替器、前記映像拡大器および前記マルチスクリーンを選択し、かつ選択された制御対象機器の状態情報を当該映像機器用ネットワークを通して取得する映像機器制御手段を有する映像機器制御用計算機と、
を備えたことを特徴とするマルチスクリーン表示システム。
【請求項２】
前記映像機器制御用ネットワークをＬＡＮケーブルで構成するとともに、前記制御対象機器の制御信号用入出力ポートにＬＡＮケーブル以外の信号入出力線を接続し、当該信号入出力線と前記映像機器制御用ＬＡＮケーブルとの間にプロトコル変換器を介挿させたことを特徴とする請求項１記載のマルチスクリーン表示システム。
【請求項３】
前記描画要求クライアントと、前記映像機器制御用計算機とを１つの計算機に統合し、当該統合計算機で映像機器制御および描画アプリケーションを実行することを特徴とする請求項１または２記載のマルチスクリーン表示システム。
【請求項４】
前記映像機器制御用ネットワークと前記描画要求用ネットワークとを共通のネットワークで構成したことを特徴とする請求項１ないし３のいずれかに記載のマルチスクリーン表示システム。
【請求項５】
前記映像切替器に映像信号線を介してビデオ出力機器を接続したことを特徴とする請求項１ないし４のいずれかに記載のマルチスクリーン表示システム。
【請求項６】
前記映像切替器に映像信号線を介して卓を接続したことを特徴とする請求項１ないし５のいずれかに記載のマルチスクリーン表示システム。
【発明の詳細な説明】
【技術分野】
【０００１】
本発明は、マルチスクリーン表示システムに係り、特に、マルチスクリーンと映像機器制御用計算機とをネットワークで接続し、ネットワークプロトコルに基づいて前記映像機器制御用計算機から前記マルチスクリーンを制御するようにしたマルチスクリーン表示システムに関する。
【背景技術】
【０００２】
マルチスクリーン表示システムは、複数の計算機（例えば、ワークステーション；ＷＳ）において描画アプリケーションを実行して生成した映像を、任意の位置に必要により拡大して表示できるようにしたシステムであり、近年、発電、変電、給電あるいは送配電等のシステムのプロセス監視・制御用ディスプレイとして利用されている。
【０００３】
従来のマルチスクリーン表示システムは、複数の計算機（ＷＳ）で生成された映像を画像切替器や映像拡大装置を介してマルチスクリーンに表示させるように構成されており、しかも、画像切替器や映像拡大装置の制御を行うマルチスクリーン制御装置とマルチスクリーン切替スイッチとをＲＳ−２３２Ｃケーブル等の中低速のシリアル信号線によって接続されている。このように構成されたマルチスクリーン表示システムでは、マルチスクリーン制御装置に電気的に接続された切替スイッチでしかマルチスクリーンの制御ができないという欠点があった。
【０００４】
また、このような課題を解決するために、映像を生成する計算機（ＷＳ）に対してＴＣＰ／ＩＰによるネットワークを介してマルチスクリーン制御用計算機を接続し、このマルチスクリーン制御用計算機に更に制御装置を接続し、この制御装置をＲＳ−２３２Ｃケーブル等の中低速用信号線を介して画像拡大装置や画像切替器に接続するようにしたマルチスクリーン表示システムが発明されている（例えば、特許文献１参照）。
【特許文献１】特許第３２９０３３４号公報（図３、第２頁−第４頁）
【発明の開示】
【発明が解決しようとする課題】
【０００５】
しかしながら、この特許文献１に記載のマルチスクリーン表示システムは、映像信号線によって計算機（ＷＳ）から画像切替器に直接映像信号を出力しているために、当該計算機（ＷＳ）の設置場所に制約があるだけではなく、計算機（ＷＳ）毎に映像出力数分の映像信号線が必要となる。
【０００６】
また、マルチスクリーン制御用計算機と画像拡大装置または画像切替器間、または制御装置とマルチスクリーン制御用計算機間、制御装置と画像拡大装置、画像切替器間をそれぞれ接続するＲＳ−２３２Ｃケーブル等の中低速用シリアル信号線は伝送距離に制限がある（一般に、信号線の最大長は約１５ｍ程度といわれている）ため、各装置の設置場所にも制約を受ける。  
さらに、マルチスクリーン制御装置は１台しか設けられていないため、これに故障が発生するとマルチスクリーン表示システムが制御不能に陥ってしまう。
【０００７】
本発明は上述した従来技術の課題を解決するためになされたものであり、映像を生成する計算機毎の映像出力数分の映像信号線を必要とせず、しかも映像切替器、映像拡大器、マルチスクリーン等の制御対象機器と制御用計算機等の制御装置との設置場所に関する制約を軽減し、１台の制御用計算機等に故障が発生しても制御不能に陥りにくいようにしたマルチスクリーン表示システムを得ることを目的とする。
【課題を解決するための手段】
【０００８】
上記の目的を達成するために、請求項１に係るマルチスクリーン表示システムの発明は、描画アプリケーションを実行して表示すべき映像信号を送る描画要求クライアントと、描画要求用ネットワークを介して前記描画要求クライアントに接続されるとともに、当該描画要求クライアントからの描画要求に基づいて複数の映像信号を出力し、仮想的な大画面を構成することが可能な描画表示サーバと、前記描画表示サーバから出力される複数の映像信号を入力し、当該複数の映像信号の中から、指定された映像信号を出力する映像切替器と、前記映像切替器から出力される映像信号を入力し、当該複数の映像信号の中から、指定された映像入力を拡大処理する映像拡大器と、複数の画面を備え、前記映像切替器または前記映像拡大器から出力される映像信号を入力して表示するマルチスクリーンと、制御対象機器である前記映像切替器、前記映像拡大器および前記マルチスクリーンに映像機器用ネットワークを介して接続されるとともに、当該映像機器用ネットワークを通して制御データを送信して前記映像切替器、前記映像拡大器および前記マルチスクリーンを選択し、かつ選択された制御対象機器の状態情報を当該映像機器用ネットワークを通して取得する映像機器制御手段を有する映像機器制御用計算機と、を備えたことを特徴とする。
【発明の効果】
【０００９】
本発明によれば、映像機器制御用計算機とマルチスクリーン、映像切替器、映像拡大器等の制御対象機器との間を映像機器制御用ＬＡＮケーブルにより接続されているため、映像機器制御用計算機の設置場所にも制約は無く自由な設置が可能となる。
【００１０】
さらに、映像機器制御用計算機の設置台数に１台という制約はないため複数台の設置が可能であり、映像機器制御用計算機のうちの１台に故障が発生したとしても、他の映像機器制御用計算機から制御および状態情報取得を行うことができ、従来システムのように制御不能となることはない。
【発明を実施するための最良の形態】
【００１１】
以下、本発明に係るマルチスクリーン表示システムの各実施の形態について、図面を参照して説明する。なお、各図を通して同一対象部分には同一符号を付けることによって、重複する説明は極力省略する。
【００１２】
（実施の形態１）
［構成］
本実施の形態１について図１ないし図５を参照して説明する。  
図１は本実施の形態１におけるマルチスクリーン表示システムのブロック構成図、図２は映像機器制御用計算機の映像機器制御手段のブロック構成図、図３はマルチスクリーンに表示される全ての映像とマルチスクリーン上で表示される画面に対応した映像切替制御シナリオの管理表の一例を示す図、図４は状態情報取得シナリオで取得される各機器の状態の一例を示す図、そして、図５は状態情報取得シナリオにより作成された映像状態表の一例を示す図である。
【００１３】
まず、図１を参照して説明する。  
１６ａ、１６ｂ、１６ｃ、・・・は描画要求クライアントであり、描画要求用ネットワーク（以下、描画要求用ＬＡＮケーブルという）１９を介して描画表示サーバ１７ａ、１７ｂ、１７ｃ、・・・に接続されている。描画要求クライアント１６ａ、１６ｂ、１６ｃ、・・・は、予めインストールしてある描画要求アプリケーション１６−１ａ、１６−１ｂ、１６−１ｃ、・・・を実行して描画要求を行う映像データを生成し、ネットワークプロトコル（例えば、Ｘプロトコル；Ｘ Ｗindow Ｓystemで採用されているプロトコル)を使用して描画表示サーバ１７ａ、１７ｂ、１７ｃ、・・・に対して映像の描画要求を行うように構成されている。
【００１４】
描画表示サーバ１７ａ、１７ｂ、１７ｃ、・・・は、それぞれ１または複数の映像信号線ＰＳ１によって映像切替器１５と接続されており、１つの映像信号線はマルチスクリーン１３を構成する１つの画面へ表示する映像信号を伝送する。このため、描画表示サーバ１７ａ、１７ｂ、１７ｃ、・・・は、複数の映像信号線ＰＳ１により仮想的な大画面を構成することが可能になっている。
【００１５】
前述の映像切替器１５は、映像信号線ＰＳ２によりマルチスクリーン１３および映像拡大器１４と接続されており、映像信号線ＰＳ１を通して入力された複数の映像信号の中から、後述する映像機器制御用計算機１０ａ、１０ｂ、１０ｃ、・・・によって指定された映像信号を、前述の映像信号線ＰＳ２を通してマルチスクリーン１３または映像拡大器１４に送信するように機能する。また、映像拡大機器１４は映像信号線ＰＳ２によりマルチスクリーン１３にも接続されており、受信した映像信号を拡大処理した後、映像信号線ＰＳ２を通してマルチスクリーン１３に送信するように機能する。
【００１６】
そして、これらマルチスクリーン１３、映像拡大機器１４および映像切替器１５等の制御対象機器は、それぞれ制御信号用入出力ポート（ＬＡＮポート）に映像機器制御用のネットワーク（以下、映像機器制御用ＬＡＮケーブルという）１２のプラグを差し込むことにより、その映像機器制御用ＬＡＮケーブル１２を介して映像機器制御用計算機１０ａ、１０ｂ、１０ｃ、・・・と接続される。
【００１７】
この映像機器制御用計算機１０ａ、１０ｂ、１０ｃ、・・・は、制御対象機器であるマルチスクリーン１３、映像拡大機器１４および映像切替器１５の制御と、その状態情報の取得をするための手順を定めた映像機器制御用ソフトウェア（以下、映像機器制御手段という）１１ａ、１１ｂ、１１ｃ、・・・をインストールしている。そして、映像機器制御用計算機１０ａ、１０ｂ、１０ｃ、・・・は、ネットワークプロトコル（例えば、ＴＣＰ／ＩＰやＵＤＰ／ＩＰなど）を使用して、制御対象機器であるマルチスクリーン１３、映像拡大機器１４および映像切替器１５に制御データを送信して選択し、さらに選択した制御対象機器１３、１４および１５の状態情報の取得は状態情報取得データの受信により行う。
１８は、例えばＶＴＲ、ＤＶＤ再生装置などに代表されるビデオ出力機器であり、映像信号線ＰＳ１を介して映像切替器１５に接続されている。
【００１８】
［作用］
次に、図１ないし図５を参照して本実施の形態の作用を説明する。  
描画要求クライアント１６ａ〜１６ｃ、・・・は、それぞれ描画要求アプリケーション１６−１ａ、１６−１ｂ、１６−１ｃ、・・・を実行することによって描画要求を行う映像データを生成し、描画要求用ＬＡＮケーブル１９を経由して描画表示サーバ１７ａ、１７ｂ、１７ｃ、・・・に対して仮想的な大画面への表示要求を行う。
【００１９】
本実施の形態１では、各描画表示サーバ１７ａ、１７ｂ、１７ｃ、・・・は４本の映像信号線ＰＳ１により映像切替器１５と接続されており、１本の映像信号線ＰＳ１に対応する画面サイズが横；１２８０ピクセル、縦；１０２４ピクセルの場合、仮想的な大画面の画面サイズは、横；２５６０ピクセル、縦；２０４８ピクセルとなる。そして、各描画表示サーバ１７ａ、１７ｂ、１７ｃ、・・・は、仮想的な大画面の表示要求をするとき、表示要求と、描画要求対象映像データの描画開始点、縦方向の画面長、横方向の画面長からなる描画サイズとを併せて行う。描画表示サーバ１７ａ、１７ｂ、１７ｃ、・・・は、仮想的な大画面へ描画要求を受けた映像データの分割を行い、分割した映像データを映像信号線ＰＳ１毎に映像切替器１５への入力信号として出力する。
【００２０】
図２は映像機器制御用計算機１０ａにインストールされている映像機器制御手段１１ａの一構成例を示す。この映像機器制御手段１１ａは、映像切替制御シナリオ１１−１、状態情報取得シナリオ１１−２およびシナリオ実行エンジン１１−３から構成されている。
【００２１】
映像切替制御シナリオ１１−１は、マルチスクリーン１３に表示される映像の切替をシナリオ化したものであり、マルチスクリーン１３に表示される映像と、その映像がマルチスクリーン１３上のどの画面（図１では画面１〜画面８）を使用して表示するのか、その組み合わせ毎に映像切替時に制御すべき機器と制御内容とを記述したものである。  
また、状態情報取得シナリオ１１−２は、マルチスクリーン１３を構成する画面、映像拡大機器１４および映像切替器１５の状態に関する情報の取得処理を記述したものである。
【００２２】
そして、シナリオ実行エンジン１１−３は、映像機器制御用計算機１０ａ上で動作しているアプリケーションからの映像切替要求ａおよび状態情報の取得要求ｂを受け取り、対応した映像切替制御シナリオ１１−１または状態情報取得シナリオ１１−２を実行し、映像切替または状態情報取得を行う。
【００２３】
図３はマルチスクリーン１３に表示される全ての映像と、マルチスクリーン１３上で表示される画面に対応した映像切替制御シナリオとを管理するための管理表であり、３つの欄すなわち、「映像名称」、「画面名称」および「映像切替制御シナリオ」の欄を有している。
【００２４】
この図３の管理表によれば、マルチスクリーン１３に表示される全ての映像には「映像名称」を、マルチスクリーン１３上で表示される画面には「画面名称」を付与することで、対応する「映像切替制御シナリオ」を一意に識別することができるようになっている。
【００２５】
「画面名称」欄における「画面１」、「画面２」、…「画面８」はそれぞれマルチスクリーン１３を構成する８つの画面に付与された番号１、２、…８に対応するものであり、また、「左４面」とはマルチスクリーン１３を構成する画面に付与された番号１〜４までの４つの画面を示し、これに対応する映像名称が指定された場合には左４面すなわち、画面１〜４画面に拡大表示が行わる。なお、図３中には示していないが、「右４面」と指定された場合にはマルチスクリーン１３を構成する画面に付与された番号５〜８までの４つの画面で拡大表示が行わることを意味する。
【００２６】
描画表示サーバ１７ａから出力された映像データを、マルチスクリーン１３の画面８面のうち左４面（画面１〜画面４）で表示する場合には、図２の映像機器制御用計算機１０ａにインストールされている映像機器制御手段１１ａのシナリオ実行エンジン１１−３によって図３中の「映像切替制御シナリオ１」が実行される（符合“１”）。
【００２７】
「シナリオ１」には、映像切替器１５へ入力された描画表示サーバ１７ａからの映像信号ＰＳ１をマルチスクリーン１３の左側４面（画面１〜画面４）へ出力するための切替処理として映像切替器１５の切替処理内容が記述されており、これを実行することにより切替制御が行われる。
【００２８】
ビデオ出力機器１８の映像をマルチスクリーン１３の「画面１」に表示する場合は、同様にして、映像機器制御用計算機１０ａの映像機器制御手段１１ａのシナリオ実行エンジン１１−３により、図３の管理表中で対応する「映像切替制御シナリオ５」が実行される（符合“２”）。
【００２９】
「シナリオ５」には、映像切替器１５へ入力されたビデオ出力機器１８からの映像信号ＰＳ１をマルチスクリーン１３の「画面１」へ出力するための切替処理として映像切替器１５の切替処理内容が記述されており、これを実行することにより切替制御が行われる。
【００３０】
ビデオ出力機器１８の映像をマルチスクリーン１３の画面８面のうち「左４面」に拡大表示する場合には、映像機器制御用計算機１０ａの映像機器制御手段１１ａのシナリオ実行エンジン１１−３により、図３の管理表で対応する「映像切替制御シナリオ４」が実行される（符合“３”）。
【００３１】
「シナリオ４」には、映像切替器１５へ入力されたビデオ出力機器１８からの映像信号ＰＳ１をマルチスクリーン１３の左側４面（画面１〜画面４）へ出力するための切替処理として映像切替器１５の切替処理内容が記述されており、これを実行することにより切替制御が行われる。
【００３２】
マルチスクリーン１３に表示されている映像情報の取得、マルチスクリーン１３を構成する画面、映像拡大機器１４および映像切替器１５の状態情報の取得を行う場合には、映像機器制御用計算機１０ａにインストールされている映像機器制御手段１１ａのシナリオ実行エンジン１１−３により状態情報取得シナリオ１１−２が実行される。
【００３３】
この状態情報取得シナリオ１１−２は、マルチスクリーン１３を構成する画面、映像拡大機器１４および映像切替器１５の状態情報取得を映像機器制御用ＬＡＮケーブル１２を介して行い、各制御対象機器１３〜１５の状態と表示画面構成表とを作成する。
【００３４】
図４は図２に示す状態情報取得シナリオ１１−２で取得される各制御対象機器１３〜１５の状態の一例を示す図である。  
図４（ａ）は映像切替器１５の状態を示す図であり、映像切替器１５から出力される各映像信号毎にどの入力映像信号が使用されているのかを示す。例えば、出力される映像信号の番号が「１」の場合は、入力映像信号は番号「１０」が使用され、映像信号の番号が「２」の場合は、入力映像信号は番号「８」が使用されていることを示している。
【００３５】
図４（ｂ）は映像拡大器１４の状態を示す図であり、図示の場合は映像の拡大が行われている状態を示す。図４（ｃ）はマルチスクリーン１３画面１の状態、すなわち、電源状態、ランプ状態、ランプ使用時間、ファン状態、・・・映像状態等、画面を構成する機器に応じた状態を示す図であり、例えば、電源；ＯＮ、ランプ；ＯＮ、ランプ使用時間；１００Ｈ、ファン；故障、・・・映像状態；ミュート中、の各状態を図示している。
【００３６】
図２に示す状態情報取得シナリオ１１−２が実行されると、各制御対象機器について上述した図４の状態取得情報を作成し、さらにこの状態取得情報を用いて、現在のマルチスクリーン１３に表示されている映像を判別し、図５に示す映像状態表を作成する。マルチスクリーン１３に表示されている映像の判別は、図３に示した「映像切替制御シナリオ」と同様に、各機器の状態から一意に判別することができる。
【００３７】
図５は状態情報取得シナリオ１１−２により作成された映像状態表であり、「画面名称」および「映像名称」の２つの欄を有している。
「画面名称」で示されるマルチスクリーン１３の画面に現在表示されている映像名称が記載される。例えば、図５の場合画面１〜画面４で構成される「左４面」に描画表示サーバ１７ａの映像が拡大表示され、画面５、画面６、画面７および画面８にはそれぞれにビデオ出力機器１８の映像が表示されていることを表している。なお、画面１、画面２、画面３、画面４については「左４面」に映像が拡大表示されているため「未使用」という扱いである。
【００３８】
図２に示すシナリオ実行エンジン１１−３は、状態情報取得シナリオ１１−２を実行することにより、各制御対象機器の状態およびマルチスクリーン１３に現在表示されている映像の状態情報を取得することができる。取得した状態情報をもとにアプリケーション向けのＡＰＩ（Application Program Interface）またはＧＵＩ（Graphical User Interface）表示により現在のマルチスクリーン１３および他の各制御対象機器の状態をユーザーに通知することが可能である。
【００３９】
［効果］
以上述べたように、本実施の形態１によれば、描画要求クライアント１６および描画表示サーバ１７間が描画要求用ＬＡＮケーブル１９により接続されているため、描画表示サーバ１７の設置場所には制約が無く自由な設置が可能となる。また、映像機器制御用計算機１０とマルチスクリーン１３、映像切替器１５、映像拡大器１４との間も映像機器制御用ＬＡＮケーブル１２により接続されているため、映像機器制御用計算機１０の設置場所にも制約は無く自由な設置が可能となる。
【００４０】
さらに、映像機器制御用計算機１０ａ、１０ｂ、１０ｃ、・・・の設置台数に１台という制約はなく、複数台の設置が可能であるため、たとえ、映像機器制御用計算機のうちの１台に故障が発生したとしても、他の映像機器制御用計算機から制御および状態情報取得を行うことができ、したがって、従来システムのように制御不能となることなくマルチスクリーン表示システムの運用を行うことができる。
【００４１】
（実施の形態２）
［構成］
次に、本発明の実施の形態２について図６を参照して説明する。  
図６は、本発明の実施の形態２におけるマルチスクリーン表示システムのブロック構成図である。
【００４２】
本実施の形態２は、マルチスクリーン１３、映像拡大機器１４および映像切替器１５等の制御対象機器の制御信号用入出力ポートに映像機器制御用ＬＡＮケーブル１２のプラグを直接接続する代わりに、制御信号用入出力ポートにＲＳ−２３２Ｃケーブル等のシリアル信号線６０のプラグを接続し、このシリアル信号線６０と映像機器制御用ＬＡＮケーブル１２との間にプロトコル変換器６１を介挿させることによって、マルチスクリーン１３、映像拡大機器１４および映像切替器１５等の制御対象機器と、映像機器制御用計算機１０ａ、１０ｂ、１０ｃ、・・・との間で情報の送受信が行えるように構成したものである。
【００４３】
プロトコル変換器６１は、ＲＳ−２３２ＣのシリアルインターフェースおよびＬＡＮインターフェースを有しており、映像機器制御用計算機１０ａ、１０ｂ、１０ｃ、・・・から映像機器制御用ＬＡＮケーブル１２に送出されたデータ内容をＬＡＮインターフェースでプロトコル変換してシリアル信号線６０を経て制御対象機器１３〜１５に送出する機能と、各制御対象機器１３、１４、１５から送出されたデータ内容をシリアルインターフェースでプロトコル変換して映像機器制御用ＬＡＮケーブル１２を経て映像機器制御用計算機１０ａ、１０ｂ、１０ｃ、・・・に送出する機能とを備えている。その他の構成は、前述した実施の形態１と同じである。
【００４４】
［作用］
本実施の形態２において、マルチスクリーン１３、映像拡大機器１４および映像切替器１５の制御および状態情報の取得を行う場合には、実施の形態１と同様に、映像機器制御用計算機１０ａ、１０ｂ、１０ｃ、・・・の映像機器制御手段１１ａ、１１ｂ、１１ｃ、・・・により、映像機器制御用ＬＡＮケーブル１２を介してマルチスクリーン１３、映像拡大機器１４、映像切替器１５にそれぞれ接続されたプロトコル変換器６１へ制御、状態情報取得の要求を送信する。
【００４５】
すると、プロトコル変換器６１は、受信した要求内容をシリアル通信用のデータに変換し、シリアル信号線６０を介してマルチスクリーン１３、映像拡大機器１４および映像切替器１５等へ送信する。
【００４６】
逆に、マルチスクリーン１３、映像拡大機器１４および映像切替器１５は、受信した制御、状態情報取得の要求に応じて処理を実施し、その処理の実施結果または機器の状態情報をシリアル信号線６０を経てプロトコル変換器６１へ送信する。
【００４７】
プロトコル変換器６１はマルチスクリーン１３、映像拡大機器１４および映像切替器１５から送信された実施結果、機器の状態情報をＬＡＮ通信用のデータに変換し、映像制御用ＬＡＮケーブル１２を経て映像機器制御用計算機１０ａ、１０ｂ、１０ｃ、・・・へ送信する。この結果、マルチスクリーン１３、映像拡大機器１４および映像切替器１５から送信された処理の実施結果または機器の状態情報は、映像機器制御用計算機１０ａ、１０ｂ、１０ｃ、・・・の映像機器制御手段１１ａ、１１ｂ、１１ｃ、・・・で受信される。
【００４８】
［効果］
以上述べたように、本実施の形態２によれば、制御対象機器であるマルチスクリーン１３、映像拡大機器１４、映像切替器１５がＬＡＮインターフェースを有していない場合にもプロトコル変換器６１を介してＬＡＮケーブル経由で制御、状態情報の取得を行うことが可能となり、映像機器制御用計算機１０ａ、１０ｂ、１０ｃ、・・・とプロトコル変換器６１との間はネットワーク１２により接続されているため、実施の形態１と同様に映像機器制御用計算機１０ａ、１０ｂ、１０ｃ、・・・の設置場所に制約は無く自由な設置が可能となる。
【００４９】
（実施の形態３）
［構成］
次に、本発明の実施の形態３について図７を参照して説明する。  
図７は、本発明の実施の形態３におけるマルチスクリーン表示システムのブロック構成図である。
【００５０】
本実施の形態３は、実施の形態１において映像機器制御用計算機１０ａ、１０ｂ、１０ｃ、・・・とは独立して設置されている描画要求クライアント１６ａ、１６ｂ、１６ｃ、・・・にインストールされている描画要求アプリケーション機能１６−１ａ、１６−１ｂ、１６−１ｃ、・・・を、映像機器制御用計算機１０ａ、１０ｂ、１０ｃ、・・・にインストールしたものである。
【００５１】
すなわち、描画要求を行うクライアント（計算機）を映像機器の制御を行う映像機器制御用計算機１０ａ、１０ｂ、１０ｃ、・・・に統合して１つの計算機とすることにより、その統合した映像機器制御用計算機１０ａ、１０ｂ、１０ｃ、・・・に描画要求アプリケーション機能１６−１ａ、１６−１ｂ、１６−１ｃ、・・・と、映像機器制御手段１１ａ、１１ｂ、１１ｃ、・・・とをそれぞれインストールするとともに、描画要求用ＬＡＮケーブル１９を描画要求アプリケーション１６−１ａ、１６−１ｂ、１６−１ｃ、・・・に接続して情報の送受信を可能にしたものである。
【００５２】
本実施の形態３では、これに加えて、マルチスクリーン表示システムの操作を訓練するための訓練卓７０ａ、・・・７０ｎを新たに備えており、この訓練卓７０ａ、・・・７０ｎから映像信号線ＰＳ１により映像切替器１５に接続するとともに、映像切替器１５から映像信号線ＰＳ２により卓７０ａ、・・・７０ｎに接続するようにしている。その他の構成は、前述した実施の形態１と同じである。
【００５３】
なお、ここでは訓練卓の例を用いて説明するが、訓練卓以外の、制御卓、操作卓等のように、システムの監視・制御操作を行う卓についても本実施の形態を適用することができる。
【００５４】
［作用］
本実施の形態３は、映像機器制御用計算機１０ａの描画要求アプリケーション１６−１ａにて描画表示サーバ１７ａへ描画要求した映像をマルチスクリーン１３へ表示させる場合、描画要求アプリケーション１６−１ａより表示サーバ１７ａへ描画要求を行うとともに、描画要求アプリケーション１６−１ａより映像機器制御手段１１ａを用いて描画表示サーバ１７ａより出力された映像データをマルチスクリーン１３へ表示する切替制御を行う。
【００５５】
また、万一、描画表示サーバ１７ａが故障して描画要求を受け付けない場合は、映像機器制御用計算機１０ａの描画要求アプリケーション１６−１ａにて描画表示サーバ１７ｂへ描画要求を行うとともに、描画要求アプリケーション１６−１ａより映像機器制御手段１１ａを用いて、描画表示サーバ１７ｂより出力された映像データをマルチスクリーン１３へ表示する切替制御を行う。
【００５６】
なお、訓練卓７０ａ、・・・７０ｎにはトレーナ用とトレーニ用とがあり、トレーニによるマルチスクリーンシステムの操作内容を自己の訓練卓のモニターに表示するとともに、トレーナの訓練卓のモニターにも表示されるようになっている。
【００５７】
［効果］
本実施の形態３によれば、描画要求を行う計算機と映像機器の制御を行う計算機とを１つの計算機に統合したので、映像機器制御用計算機の設置場所に関する制約がなく、より自由に設置できる。また、描画表示サーバ１７ａ、１７ｂ、１７ｃ、・・・、マルチスクリーン１３を構成する画面の故障が発生した場合にも描画要求先の描画表示サーバの変更および映像切替処理を連動して行うことが可能となり、一部機器の故障が発生しとしてもマルチスクリーン表示システム全体への影響を少なくすることができる。
【００５８】
（他の実施の形態）
なお、本発明は以上説明した実施の形態１〜３に限定されるものではなく、例えば、映像機器制御用ＬＡＮケーブル１２と描画要求用ＬＡＮケーブル１９とを同一のセグメントＬＡＮとしてもよい。
【００５９】
また、マルチスクリーン１３に映像切替機能および映像拡大機能を持たせることができる場合には、映像拡大機器１４および映像切替器１５を独立して設けずに、マルチスクリーン１３内に組み込むように構成することもできる。
【図面の簡単な説明】
【００６０】
【図１】本発明の実施の形態１におけるマルチスクリーン表示システムのブロック構成図。
【図２】映像機器制御用計算機の映像機器制御手段のブロック構成図。
【図３】マルチスクリーンに表示される全ての映像とマルチスクリーン上で表示される画面に対応した映像切替制御シナリオの管理表の一例を示す図。
【図４】状態情報取得シナリオで取得される各機器の状態の一例を示す図。
【図５】状態情報取得シナリオにより作成された映像状態表の一例を示す図。
【図６】本発明の実施の形態２におけるマルチスクリーン表示システムのブロック構成図。
【図７】本発明の実施の形態３におけるマルチスクリーン表示システムのブロック構成図。
【符号の説明】
【００６１】
１０ａ、１０ｂ、１０ｃ、・・・；映像機器制御用計算機、１１ａ、１１ｂ、１１ｃ、・・・；映像機器制御用ソフトウェア（映像機器制御手段）、１２；映像機器制御用のネットワーク（映像機器制御用ＬＡＮケーブル）、１３；マルチスクリーン、１４；映像拡大機器、１５；映像切替器、１６ａ、１６ｂ、１６ｃ、・・・；描画要求クライアント、１６−１ａ、１６−１ｂ、１６−１ｃ、・・・；描画要求アプリケーション、１７ａ、１７ｂ、１７ｃ、・・・；描画表示サーバ、１８；ビデオ出力機器、１９；描画要求用のネットワーク（描画要求用ＬＡＮケーブル）、６０；シリアル信号線、６１；プロトコル変換器、７０；訓練卓。
【図１】
2008198084.tif 000003
【図２】
2008198084.tif 000004
【図３】
2008198084.tif 000005
【図４】
2008198084.tif 000006
【図５】
2008198084.tif 000007
【図６】
2008198084.tif 000008
【図７】
2008198084.tif 000009